(57)【特許請求の範囲】
【請求項１】
連続的に搬送される途上の長尺なシートの電気抵抗を局所的に測定する抵抗測定装置であって、
所定の位置で前記搬送途上のシートの表面に接触する測定用ローラと、
前記ローラの外周面であって前記搬送途上のシート表面に同時に接触可能なように形成された複数の抵抗測定端子と
を備え、
前記搬送途上のシート表面に前記ローラを接触させ、前記複数の抵抗測定端子のうちの少なくとも２端子間に電圧を加えることにより、該シートの電気抵抗を測定するように構成されており、
前記複数の抵抗測定端子の中から前記電圧を加える少なくとも２端子を選択し得るように構成されており、
前記複数の抵抗測定端子は、前記ローラの回転中心軸方向に沿って所定の間隔をあけて配列されており、前記電圧を加える少なくとも２端子を前記ローラの回転中心軸方向に切り替えつつ前記電気抵抗を測定可能なように構成されており、
前記ローラの外周面には、前記搬送途上のシート表面に接触する接触凸部と、該シート表面に接触しない非接触凹部であって前記ローラ回転時に引き込まれた空気を外部まで導く溝が形成されており、
前記接触凸部に前記抵抗測定端子が配置されている、抵抗測定装置。
【請求項２】
前記接触凸部は前記ローラの周方向に沿う環状の凸部であり、前記非接触凹部は前記ローラの周方向に沿う環状の溝であり、
前記環状の接触凸部及び環状の非接触凹部は、前記ローラの回転中心軸方向に沿って交互に複数配列されており、
ここで、前記抵抗測定端子は、前記環状の接触凸部の外周面に形成されている、請求項１に記載の抵抗測定装置。
【請求項３】
前記ローラの表面の一部には、前記搬送途上のシート表面の前記ローラ外周面への接触を助長させる吸引手段が設けられている、請求項１または２に記載の抵抗測定装置。
【請求項４】
前記抵抗測定端子として４端子測定用の端子を備えており、４端子測定法により前記複数の抵抗測定端子のうちのいずれか４端子を用いて電気抵抗を測定するように構成されている、請求項１から３の何れか一つに記載の抵抗測定装置。
【請求項５】
連続的に搬送される途上の長尺なシートの電気抵抗を局所的に測定する方法であって、
請求項１に記載された抵抗測定装置を使用し、前記搬送途上のシートの表面に接触させつつ、該抵抗測定装置の前記ローラの前記複数の抵抗測定端子のうちの少なくとも２端子間に電圧を加えることにより、該シートの局所的な電気抵抗を測定することを特徴とする、抵抗測定方法。
【請求項６】
前記複数の抵抗測定端子を前記ローラの回転中心軸方向に沿って所定の間隔をあけて配列し、前記電圧を加える少なくとも２端子を前記回転中心軸方向に切り替えつつ前記電気抵抗を測定することを特徴とする、請求項５に記載の測定方法。
【請求項７】
前記抵抗測定端子として４端子測定用の端子を備え、４端子測定法により前記複数の抵抗測定端子のうちのいずれか４端子を用いて電気抵抗を測定する、請求項５又は６に記載の測定方法。
【発明の詳細な説明】
【技術分野】
【０００１】
本発明は、電気抵抗を測定するための装置および方法に関する。詳しくは、連続的に搬送される途上の長尺なシートの電気抵抗を局所的に測定する装置および方法に関する。
【背景技術】
【０００２】
近年、リチウムイオン電池、ニッケル水素電池その他の二次電池は、車両搭載用電源、或いはパソコンおよび携帯端末の電源として重要性が高まっている。特に軽量で高エネルギー密度が得られるリチウムイオン電池は車両搭載用高出力電源として好ましく用いられるものとして期待されている。
【０００３】
リチウムイオン電池の一つの典型的な構成では、渦巻き状構造を有する捲回電極体を備えた電池構造が知られている。かかる捲回電極体は、金属箔（例えば正極がアルミ箔、負極が銅箔）のような導電性部材の表面に所定の電極活物質層が形成されて成る長尺なシート状電極（シート状正極およびシート状負極）とシート状セパレータとから構成され、各シートを重ねて捲回することにより製造されている。これらのシート状電極は、電池容量などを直接規定するため電池を構成する上で特に重要な部材であり、その電気的特性（典型的には電気抵抗）がシート面内で不均一になると、電池特性に悪影響を及ぼしかねない。そのため、捲回電極体を構築（形成）する前に、用いるシート状電極（シート状正負極）の面内抵抗分布を予め測定・評価しておくことが望ましい。
【０００４】
ところで、長尺なシート（例えば導電性フィルム）の電気抵抗を測定する従来技術としては、種々の方法及び装置が提案されている。例えば、特許文献１には、ロール状の測定試料の表面に一対の転がり電極を有する測定ヘッドを接触させ、ロール状試料（半導電性材料膜）の外周面を円周に沿って連続的に表面抵抗値を測定する方法及び装置が開示されている。なお、その他の従来技術としては特許文献２が挙げられる。
【特許文献１】特開平７−２６０８４８号公報
【特許文献２】特開平１１−１４８９５３号公報
【発明の開示】
【発明が解決しようとする課題】
【０００５】
しかしながら、特許文献１の技術では、ロール状試料の円周に沿って接触させた一対の転がり電極により電気抵抗を測定しているので、該ロール状試料の円周に沿って連続的に表面抵抗値を測定することはできるが、ロール状試料の幅方向（軸方向）における狭いエリアの電気抵抗を測定することはできない。特に、測定対象が上述した電池のシート状電極の場合には、捲回電極体を形成する前にシート状電極の面内抵抗分布を測定・評価しておくことが望ましく、したがって長尺なシート（例えば上記シート状電極のような導電性シート）の幅方向における狭いエリアの電気抵抗を測定することができれば特に有効である。
【０００６】
本発明は、かかる点に鑑みてなされたものであり、その主な目的は、連続的に搬送される途上の長尺なシートの電気抵抗を局所的に測定することができる抵抗測定装置および抵抗測定方法を提供することである。特に、上述したような電池（リチウムイオン電池等）のシート状電極或いはシート状セパレータの電気抵抗を局所的に測定することができる長尺なシート状の電池構築材料の抵抗測定装置および抵抗測定方法を提供することである。
【課題を解決するための手段】
【０００７】
本発明によって提供される抵抗測定装置は、連続的（断続的である場合を包含する。以下同じ。）に搬送される途上の長尺なシート（典型的には上記シート状電極のような導電性シート）の電気抵抗を局所的に測定するための装置である。この装置は、所定の位置で上記シートの表面に接触する測定用ローラと、上記ローラの外周面であって前記搬送途上のシート表面に同時に接触可能なように形成された複数の抵抗測定端子と、を備える。そして、上記搬送途上のシート表面に上記ローラを接触させ、上記複数の抵抗測定端子のうちの少なくとも２端子間に電圧を加えることにより、該シートの電気抵抗を測定することを特徴とする。
【０００８】
本発明の構成によれば、搬送途上の長尺なシートの表面に同時に接触可能なように形成された複数の抵抗測定端子のうちの少なくとも２端子間に電圧を加えて電気抵抗を測定しているので、該シートの局所的な電気抵抗を測定することができる。その結果、シート面内における狭い領域の電気的特性を評価することが可能となる。加えて、本発明の装置によれば、所定の設置位置（例えばインライン上）において搬送途上のシート表面に測定用ローラを接触させるだけでよく、シートからサンプルを部分的に切り出してオフラインで個別に測定する場合に比べて、非常に簡易に局所的な抵抗を測定することができる。
【０００９】
ここで開示される測定装置では、上記複数の抵抗測定端子の中から上記電圧を加える少なくとも２端子を選択し得るように構成されている。
【００１０】
かかる構成によれば、長尺シート面内における所望の領域（例えば面内の抵抗バラツキが特に生じ易い部位など）の電気抵抗を選択的に測定することができる。
【００１１】
ここで開示される測定装置では、上記複数の抵抗測定端子は、上記ローラの回転中心軸方向に沿って所定の間隔をあけて配列されている。そして、上記電圧を加える少なくとも２端子を上記ローラの回転中心軸方向に切り替えつつ上記電気抵抗を測定可能なように構成されている。
【００１２】
複数の抵抗測定端子を上記ローラの回転中心軸方向に沿って配列することにより、シートの幅方向における局所的な電気抵抗を測定することができる。また、電圧を加える２端子を上記ローラの回転中心軸方向に切り替えることにより、所望の測定領域（電圧を加える２端子）をシートの幅方向における一定の位置に固定するだけでなく、シートの幅方向に沿って随時シフトさせることができる。このように、測定時に電圧を加える２端子をシートの幅方向に沿ってシフトさせることにより、シートの幅方向全域にわたる抵抗分布を得ることが可能となる。
【００１３】
ここで開示される測定装置では、上記ローラの外周面には、上記搬送途上のシート表面に接触する接触凸部と該シート表面に接触しない非接触凹部であって上記ローラ回転時に引き込まれた空気を外部まで導く溝とが形成されている。そして、上記接触凸部に上記抵抗測定端子が配置されている。
【００１４】
このように、ローラの外周面に非接触凹部を設けることにより、ローラ回転時に引き込まれた空気を、上記非接触凹部を介して逃がすことができる。これによって、ローラとシートとの間に空気が入り込む不具合（典型的にはシート−ローラ間の空気潤滑層の形成）を回避することができ、ローラとシートとの密着性を向上させることができる。その結果、上述した電気抵抗の測定を精度良く確実に行うことができる。
【００１５】
ここで開示される測定装置のある好適な一構成では、上記接触凸部は上記ローラの周方向に沿う環状の凸部であり、上記非接触凹部は上記ローラの周方向に沿う環状の溝である。そして、上記環状の接触凸部及び環状の非接触凹部は、上記ローラの回転中心軸方向に沿って交互に複数配列されている。ここで、上記抵抗測定端子は、上記環状の接触凸部の外周面によって構成されている。
【００１６】
上記抵抗測定端子を環状の接触凸部の外周面によって構成することにより、シートの長手方向に沿って電気抵抗を連続的に測定することができ、シートの長手方向全域にわたる抵抗分布を得ることが可能となる。また、抵抗測定端子のそれぞれの間に環状の非接触凹部が配置されるので、抵抗測定端子周辺に引き込まれた空気を環状の非接触凹部を介して効果的に（スムーズに）逃がすことができる。
【００１７】
ここで開示される測定装置のある好適な一構成では、上記ローラの表面の一部には、上記搬送途上のシート表面の上記ローラ外周面への接触を助長させる吸引手段が設けられている。
【００１８】
かかる構成によれば、ローラとシートとの密着性を一層向上させることができ、上記電気抵抗の測定をさらに精度良く確実に行うことができる。
【００１９】
ここで開示される測定装置のある好適な一構成では、上記抵抗測定端子として４端子測定用の端子を備えている。そして、４端子測定法により上記複数の抵抗測定端子のうちのいずれか４端子を用いて電気抵抗を測定するように構成されている。かかる構成によれば、４端子測定法を用いることにより接触抵抗による悪影響を排除することができ、さらに高精度な測定が可能となる。
【００２０】
また、本発明は、連続的に搬送される途上の長尺なシート（典型的には上記シート状電極のような導電性シート）の電気抵抗を局所的に測定する方法を提供する。この方法は、ここで開示される何れかの抵抗測定装置を使用し、上記搬送途上のシートの表面に接触させつつ、該抵抗測定装置の上記ローラの上記複数の抵抗測定端子のうちの少なくとも２端子間に電圧を加えることにより、該シートの局所的な電気抵抗を測定することを特徴とする。
【００２１】
かかる方法によれば、シートの局所的な電気抵抗を容易に測定することができ、その結果、シート面内における狭い領域の電気的特性を評価することが可能となる。
【００２２】
ここで開示される測定方法のある好適な一態様では、上記複数の抵抗測定端子を上記ローラの回転中心軸方向に沿って所定の間隔をあけて配列し、上記電圧を加える少なくとも２端子を上記回転中心軸方向に切り替えつつ上記測定を行うことを特徴とする。
【００２３】
これにより、シートの幅方向における局所的な電気抵抗を測定したり、シートの幅方向全域にわたる抵抗分布を得たりすることができる。
【００２４】
ここで開示される測定方法のある好適な一態様では、上記抵抗測定端子として４端子測定用の端子を備え、４端子測定法により上記複数の抵抗測定端子のうちのいずれか４端子を用いて電気抵抗を測定する。これによって、接触抵抗による悪影響を排除することができ、さらに高精度な測定が可能となる。
【発明を実施するための最良の形態】
【００２５】
以下、図面を参照しながら、本発明による実施の形態を説明する。以下の図面においては、同じ作用を奏する部材・部位には同じ符号を付して説明している。なお、本発明は以下の実施形態に限定されない。また、各図における寸法関係（長さ、幅、厚さ等）は実際の寸法関係を反映するものではない。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
【００２６】
図１を参照しながら、本実施形態に係る抵抗測定装置１００の構成について説明する。図１は抵抗測定装置１００の外観を模式的に示す外観模式図である。抵抗測定装置１００は、連続的に搬送される途上の長尺なシート（典型的には上記電池に用いられるシート状電極のような導電性シート）１０の電気抵抗を局所的に測定するための装置である。この装置１００は、大まかに言うと、測定用ローラ２０と、該ローラ２０の外周面２２に形成された複数の抵抗測定端子３０とを備えている。
【００２７】
ローラ２０は、所定の位置において上記搬送途上のシート１０の表面に接触するように構成されている。この実施形態では、ローラ２０は、円筒状の導電性材料（ここではステンレス）からなり、絶縁性材料からなる軸芯２４に回転自在に取り付けられている。そして、ローラ２０は、該ローラの回転中心軸方向９０がシート１０の横幅方向と一致するようにシート上に配置され、該シート１０の搬送（矢印「９４」）に伴って一方向（矢印「９６」）に回転するようになっている。
【００２８】
かかるローラ２０の外周面２２には、搬送途上のシート表面１２に接触する接触凸部２６と該シート表面１２に接触しない非接触凹部２８とが形成されている。この実施形態では、接触凸部２６はローラの周方向に沿う環状の凸部２６であり、非接触凹部２８はローラの周方向に沿う環状の溝２８である。そして、環状の接触凸部２６及び環状の非接触凹部２８は、ローラの回転中心軸方向９０に沿って交互に複数配列されている。
【００２９】
また、ローラ２０の外周面２２には、複数の抵抗測定端子３０が形成されている（図１では８つ）。抵抗測定端子３０は、シートの電気抵抗測定用の測定回路４８の接続をするために設けられたターミナルであり、搬送途上のシート表面１２に同時に接触可能なように形成されている。この実施形態では、複数の抵抗測定端子３０は、環状の凸部２６の外周面によって構成され、且つ、それぞれがローラの回転中心軸方向９０に沿って所定の間隔をあけて（図１では等間隔で離間するように）配列されている。
【００３０】
これらの抵抗測定端子３０は、シートの電気抵抗測定用の測定回路４８を構築すべく、電源４０、電流計４２、電圧計４４にそれぞれ接続されている。この実施形態では、上記抵抗測定端子３０として４端子測定法用の端子を備えている。そして、抵抗測定装置１００は、４端子測定法により上記複数の抵抗測定端子３０のうちのいずれか４端子を用いて電気抵抗を測定するように構成されている。図示した例では、右端から配列した４つの抵抗測定端子３０Ａ、３０Ｂ、３０Ｃ、３０Ｄを用いて電気抵抗を測定するようになっており、外側の２端子３０Ａ、３０Ｄを電流端子（Ｉ＋、Ｉ−）として電源４０および電流計４２に接続し、内側の２端子３０Ｂ、３０Ｃを電圧端子として電圧計４４に接続している。
【００３１】
そして、抵抗測定装置１００は、搬送途上のシート表面１２にローラ２０を接触させ、複数の抵抗測定端子３０のうちの少なくとも２端子間に電圧を加えることにより、該シートの電気抵抗を測定するように構成されている。この実施形態では、８つの抵抗測定端子３０を備えたローラ２０を、搬送途上のシート表面１２に接触させつつ、右端から配列した４つの抵抗測定端子３０のうちの外側の２端子３０Ａ−３０Ｄ間に電源４０からの電圧を加えて一定の電流を流し、内側の２端子３０Ｂ−３０Ｃ間に生じる電位差を電圧計４４で検出し、該シート１０の電気抵抗へと換算するようになっている。
【００３２】
このようにして、シート１０の幅方向における局所的な電気抵抗（図１ではシートの右側領域の電気抵抗）を測定することができる。なお、電源４０からの電圧は、シート１０の電気抵抗を測定可能なものであればよく、例えば、直流電圧、交流電圧、パルス電圧の何れであってもよい。また、電源４０と電流計４２とは別体としてもよく、一体型としてもよい。
【００３３】
本実施形態の装置１００によれば、搬送途上のシート表面１２に同時に接触可能なように形成された複数の抵抗測定端子３０（図では８つ）のうちの２端子３０Ａ−３０Ｄ間に電圧を加えて電気抵抗を測定しているので、該シート１０の局所的な電気抵抗（この例ではシートの幅方向における局所的な電気抵抗）を測定することができる。その結果、シート面内における狭い領域の電気的特性を評価することが可能となる。加えて、本実施形態の装置１００によれば、所定の設置位置（例えばインライン上）において搬送途上のシート表面１２に測定用ローラ２０を接触させるだけでよく、シート１０からサンプルを部分的に切り出してオフラインで個別に測定する場合に比べて、非常に簡易に局所的な抵抗を測定することができる。
【００３４】
加えて、この実施形態では、抵抗測定端子３０が環状の接触凸部２６の外周面によって構成されているので、シート１０の長手方向９２に沿って電気抵抗を連続的に測定することができる。その結果、シート１０の長手方向全域にわたる抵抗分布を容易に得ることができる。さらに、この実施形態では、抵抗測定端子３０として４端子測定用の端子を備え、４端子測定法により電気抵抗を測定しているので、接触抵抗による悪影響を排除することができ、高精度な測定が可能となる。なお、抵抗測定端子３０は、上述した４端子測定用端子に限らず、２端子測定用端子であってもよい。この場合、各抵抗測定端子３０は、２端子用測定回路を構築すべく、それぞれ電源４０、電流計４２、および電圧計４４に接続されることとなる。
【００３５】
また、測定に使用する測定回路４８は一つに限らず複数であってもよい。例えば、左端から配列した４つの抵抗測定端子３０Ｈ、３０Ｇ、３０Ｆ、３０Ｅを用いて２つ目の測定回路を構築し、ローラ２０を搬送途上のシート表面１２に接触させつつ、外側の２端子３０Ｈ―３０Ｅ間に電圧を加えることにより、シート１０の右側領域だけでなく、該シートの左側領域の電気抵抗を同時に測定することができる。
【００３６】
本実施形態の装置１００により測定可能なシート１０は、連続的に搬送可能な形状であればよく、上述した長尺状に限らず種々の形状にすることができる。また、その材質は、電池のシート状電極のような導電性材料（導電性シート）に限らず、例えば半導電性材料、或いは電池のシート状セパレータのような絶縁性材料であってもよい。シート１０が絶縁性材料の場合には、該シートの絶縁検査などを簡易に行うことができる。
【００３７】
なお、本明細書でいう「搬送されるシート１０」とは、所定のローラ設置位置において長尺シート１０がローラ２０に対して矢印「９４」方向に相対的に移動することを意味し、それゆえに、シート１０側を固定したままローラ２０側をシート１０に対して移動させてもよい。例えば、シート１０を固定した状態でローラ２０をシート表面１２で矢印「９６」方向に転がしながら上記測定を行ってもよい。
【００３８】
さらに、本実施形態に係る装置１００の特徴について説明する。図１に示すように、抵抗測定装置１００は、複数の抵抗測定端子３０の中から電圧を加える少なくとも２端子を選択し得るように構成されている。かかる構成によれば、シート面内における所望の領域（例えば面内の抵抗バラツキが特に生じ易い部位など）の電気抵抗を選択的に測定することができ、特に有用である。例えば、電圧を加える２端子間を、実線で示す２端子３０Ａ−３０Ｄから二点鎖線で示す２端子３０Ｂ−３０Ｅに切り替えることにより、測定可能な領域をシート１０の幅方向９０に沿って左側にシフトさせることができる。
【００３９】
なお、この実施形態では、各抵抗測定端子３０の電圧端子と電圧端子とが相互に切り替え可能となっている。具体的には、抵抗測定端子３０Ｂは電圧端子「Ｖ＋」から電流端子「Ｉ＋」に切り替えられ、抵抗測定端子３０Ｄは電流端子「Ｉ−」から電圧端子「Ｖ−」に切り替えられている。また、上記電圧を加える２端子の切り替えは、測定者が測定に使用する測定回路４８の配線を手動で変更することにより行ってもよく、或いは測定者のスイッチ操作等によって発せられた切り替え指令に基づく切替部４６の制御によって、測定に使用する測定回路４８が自動で変更されるように構成してもよい。
【００４０】
さらに、抵抗測定装置１００は、上記電圧を加える少なくとも２端子をローラ２０の回転中心軸９０方向に切り替えつつ上記電気抵抗を測定可能なように構成されている。すなわち、抵抗測定装置１００は、所望の測定領域（電圧を加える２端子）をシートの幅方向における一定の位置に固定するだけでなく、シートの幅方向に沿って随時シフトし得るようになっている。このように、測定時に電圧を加える２端子をシートの幅方向に沿ってシフトさせることにより、シート１０の幅方向全域にわたる抵抗分布を得ることが可能となる。これによって、シートの長手方向全域にわたる抵抗分布だけでなく、シートの幅方向全域にわたる抵抗分布を得ることができ、その結果、シート１０全面の面内抵抗分布を得ることができる。
【００４１】
続いて、本実施形態の装置１００のその他の特徴、特にローラ２０の構造的な特徴について説明する。上述したように、ローラ２０の外周面２２には、搬送途上のシート表面１２に接触する接触凸部２６と該シート表面１２に接触しない非接触凹部２８とが形成されている。この実施形態では、接触凸部２６はローラの周方向に沿う環状の凸部２６であり、非接触凹部２８はローラの周方向に沿う環状の溝２８である。そして、環状の接触凸部２６及び環状の非接触凹部２８は、ローラの回転中心軸方向９０に沿って交互に複数配列されている。
【００４２】
このように、ローラ２０の外周面２２に非接触凹部（ここでは環状の溝）２８を設けることにより、ローラ２０の回転時に引き込まれた空気を、上記非接触凹部２８を介して逃がすことができる。これによって、ローラ２０とシート１０との間に空気が入り込む不具合（典型的には、シート１０及びローラ２０間の空気潤滑層の形成）を防止することができ、ローラ２０とシート１０との密着性を向上させることができる。その結果、上述した電気抵抗の測定を精度良く行うことができる。
【００４３】
また、この実施形態では、抵抗測定端子３０のそれぞれの間に環状の溝２８を配置しているので、抵抗測定端子周辺に引き込まれた空気を環状の溝２８を介して効果的に（スムーズに）逃がすことができる。したがって、各抵抗測定端子３０周辺における空気潤滑層の形成を確実に回避することができる。特にシートを搬送するインライン上で測定用ローラ２０が搬送用ローラを兼ねる場合（この場合、後述する図４Ａ及び図４Ｂに示すように当該ローラ２０の外周面のほぼ半分の領域がシート１０と接触する状態となり得る）において上記空気潤滑層の形成防止の意義は大きい。なお、非接触凹部２８の形状は、ローラ２０の回転時に引き込まれた空気を外部まで導くことができる形状であればよく、上述した環状の溝形状に限らず、その他の形状を採用してもよい。
【００４４】
また、ローラ２０とシート１０との密着性をさらに向上させるために、ローラ２０の表面１２の一部に、搬送途上のシート表面１２のローラ外周面２２への接触を助長させる吸引手段が設けられていてもよい。このような吸引手段としては、例えば真空ポンプ及び吸気管に連通する複数の吸気孔、或いは熱風や風圧による抑えつけ等を好適に使用することができる。かかる構成によれば、ローラ２０とシート１０との密着性を一層向上させることができ、上述したシート抵抗の測定を精度良く確実に行うことができる。
【００４５】
以上、本発明を好適な実施形態により説明してきたが、こうした記述は限定事項ではなく、勿論、種々の改変が可能である。
【００４６】
例えば、上述した実施形態では、抵抗測定端子３０を環状の凸部２６の外周面によって構成しているが、これに限定されない。例えば、図２に示すように、ローラ１２０の外周面１２２に、該ローラ１２０とは別体の抵抗測定端子１３０を形成しても良い。図示した例では、樹脂材料からなるローラ１２０の外周面１２２（ここでは環状凸部１２６の外周面）に、略矩形状の抵抗測定端子１３０のそれぞれが該ローラの軸方向に所定の間隔をあけて配列されている。かかる構成によれば、シートの長手方向における局所的な抵抗を、周方向の長さに応じた一定の間隔ごとに抽出して測定することができる。
【００４７】
なお、図２のローラを採用する場合、該ローラ１２０の少なくとも一部に細孔を形成するとともに（例えばローラ１２０を多孔質体で形成するとともに）、該ローラ１２０に吸引手段を設けてもよい。これにより、搬送途上のシート表面１２のローラ外周面２２への接触を助長させることができ、ローラ１２０とシート１１０との密着性をさらに向上させることができる。
【００４８】
さらに、図３に示すように、ローラ１２０とは別体で構成された抵抗測定端子２３０Ａ、２３０Ｂ、２３０Ｃを、該ローラ１２０の周方向に複数配置しても良い。かかる構成によれば、シートの長手方向における局所的な抵抗を、図２に示した例よりもさらに短い間隔ごとに抽出して測定することができる。
【００４９】
また、図１に示した例では、真っ直ぐに搬送される途上のシート表面１２にローラ２０を線接触させて電気抵抗を測定する場合を示したが、図４Ａ及び図４Ｂに示すように、搬送される途上のシート表面１２にローラ２０を面接触させて（搬送される途上のシート１０の一部をローラ２０に巻き付けながら）電気抵抗を測定してもよい（この態様では典型的には測定用ローラ２０が搬送用ローラの一つとして機能する。）。このように、シート１０の一部をローラ２０に巻き付けながら電気抵抗を測定することにより、該シート１０に適当なテンションを加えることができ、ローラ２０とシート１０との密着性を向上させるができる。
【００５０】
なお、上述した抵抗測定装置１００は、長尺なシート状の電池構築材料の抵抗測定用装置として好適である。即ち、電池製造ラインにおいてシート状の電極（シート状正極およびシート状負極）の電気抵抗を測定する場合に特に好ましく利用することができる。測定対象がシート状電極の場合には、捲回電極体を構築（形成）する前に、用いるシート状電極の面内抵抗分布を予め測定・評価しておくことが望ましい。そのため、シート面内における狭い領域の電気抵抗を測定することができるという本発明のメリットが特に良く発揮され得る。この場合、本実施形態の測定用ローラ２０を、捲回電極体の捲回装置の一部（例えば搬送ローラの一つ）として組み込んでもよい（図４Ｂ参照）。このように測定用ローラ２０を電極体の捲回装置の一部として組み込むことにより、シート状正極およびシート状負極の抵抗測定を捲回ライン上（インライン）で高速に行うことができ、非常に効率的である。
【図面の簡単な説明】
【００５１】
【図１】一実施形態に係る抵抗測定装置の外観を模式的に示す外観模式図である。
【図２】他の一実施形態に係る測定用ローラおよび抵抗測定端子の外観を模式的に示す外観模式図である。
【図３】他の一実施形態に係る測定用ローラおよび抵抗測定端子の外観を模式的に示す外観模式図である。
【図４Ａ】一実施形態に係る測定用ローラの一使用態様を模式的に示す外観斜視図である。
【図４Ｂ】一実施形態に係る測定用ローラの一使用態様を模式的に示す外観側面図である。
【符号の説明】
【００５２】
１０   シート
１２   シート表面
２０   ローラ
２２   外周面
２４   軸芯
２６   接触凸部（環状の凸部）
２８   非接触凹部（環状の溝）
３０   抵抗測定端子
４０   電源
４２   電流計
４４   電圧計
４６   切替部
９０   ローラの軸方向（シートの幅方向）
９２   シートの長手方向
１００ 抵抗測定装置
【図１】
0005029905.tif 000002
【図２】
0005029905.tif 000003
【図３】
0005029905.tif 000004
【図４Ａ】
0005029905.tif 000005
【図４Ｂ】
0005029905.tif 000006